(57)【要約】【課題】  手術時、暗くて出血の多い組織を剥離する時、手術部位で発生する出血を吸込して照明を照らして、組織剥離の深度の深い手術部位の視野を確保できる手術器具を提供すること。【解決手段】  本発明の手術器具は、先端に吸込口が少なくとも一つ形成される第１本体部と、第１本体部と交差して回転自在に結合される第２本体部と、手術中に患者の出血部位で発生する血液を吸込口を通じて吸い込むために第１本体部に具備される吸込部と、第１および第２本体部の先端の間を照明するために第２本体部に具備される照明部と、を含むことができる。【選択図】図１
2010253237.tif 000002
【特許請求の範囲】
【請求項１】
先端に吸込口が少なくとも一つ形成される第１本体部と、
前記第１本体部と交差して回転自在に結合される第２本体部と、
手術中において患者の出血部位で発生する血液を前記吸込口を通じて吸い込むために前記第１本体部に具備される吸込部と、
前記第１本体部と前記第２本体部との先端間を照明するために前記第２本体部に具備される照明部と、を含むことを特徴とする手術器具。
【請求項２】
前記吸込部は、前記吸込口と連結されるように前記第１本体部に内装される吸込管を含むことを特徴とする請求項１に記載の手術器具。
【請求項３】
前記第１本体部の内部には、前記吸込管が挿入されて内装されるように吸込管挿入ホールが長手方向に長く形成されることを特徴とする請求項２に記載の手術器具。
【請求項４】
前記吸込口の直径は、前記吸込管挿入ホールの直径より小さく形成されることを特徴とする請求項３に記載の手術器具。
【請求項５】
前記吸込口は、前記第１本体部の先端の前面または内側面に形成されることを特徴とする請求項１に記載の手術器具。
【請求項６】
前記照明部は、前記第２本体部に内装され、光源で発生する光を光伝送して、前記第１本体部と前記第２本体部との先端間を照射するようにガイドする光繊維を含むことを特徴とする請求項１に記載の手術器具。
【請求項７】
前記光源は、ＬＥＤであることを特徴とする請求項６に記載の手術器具。
【請求項８】
前記第２本体部の内部には、前記光繊維が挿入されて内装されるように光繊維挿入ホールが長手方向に長く形成されることを特徴とする請求項６に記載の手術器具。
【請求項９】
前記第２本体部には、前記光繊維の先端が露出する照明口が少なくとも一つ形成されることを特徴とする請求項６に記載の手術器具。
【請求項１０】
前記照明口は、前記第２本体部の先端から後方に一定距離に離隔されて内側面に形成されることを特徴とする請求項９に記載の手術器具。
【請求項１１】
前記照明口に露出した前記光繊維は、前記第１本体部の先端と前記第２本体部の先端との間の空間の中央部位を照明するように配置されることを特徴とする請求項９に記載の手術器具。
【請求項１２】
前記照明部は、前記第１本体部の先端と前記第２本体部の先端との間の空間の中央部位を照明するように前記第２本体部の先端から後方に一定距離に離隔され、内側面に具備される電球またはＬＥＤランプであることを特徴とする請求項１に記載の手術器具。
【請求項１３】
前記第１及び第２本体部の先端は、上向きまたは下向きに折り曲げられて形成されることを特徴とする請求項１に記載の手術器具。
【請求項１４】
前記第１及び第２本体部の後端には、指を入れて把持できるように取っ手部が形成されることを特徴とする請求項１に記載の手術器具。
【請求項１５】
前記第１本体部と前記第２本体部は、回転結合部によって回転自在に結合されることを特徴とする請求項１に記載の手術器具。
【請求項１６】
前記回転結合部は、前記第１本体部の中央部位に一体に形成され、一面の端部に一対の結合突起が形成される第１回転結合部と、前記第２本体部の中央部位に一体に形成され、前記第１回転結合部の一面と対向する面の端部に前記一対の結合突起が挿入されて、一定の回転角度の範囲内で回転するように結合される一対の結合溝が形成される第２回転結合部と、を含むことを特徴とする請求項１５に記載の手術器具。
【請求項１７】
先端に吸込口が少なくとも一つ形成される第１本体部と、
前記第１本体部と交差して回転自在に結合され、先端に照明口が少なくとも一つ形成される第２本体部と、
手術中において患者の出血部位で発生する血液を前記吸込口を通じて吸い込むために前記第１本体部に内装される吸込管と、
前記照明口を通じて前記第１本体部と前記第２本体部との先端の間を照明するために前記第２本体部に内装される光繊維と、
前記吸込管に吸込力を提供する吸込装置と、
前記光繊維に光を提供する光源と、を含むことを特徴とする手術器具。
【発明の詳細な説明】
【技術分野】
【０００１】
本発明は手術器具に関わり、より詳細には患者の生体組織を剥離するなどの手術に用いられる手術器具に関する。
【背景技術】
【０００２】
一般的に、外科手術中には、軟部組織（ｓｏｆｔ  ｔｉｓｓｕｅ）を剥離（ｄｉｓｓｅｃｔｉｏｎ）して、手術部位を手術者（ｏｐｅｒａｔｅｒ）の希望する手術視野に入れる場合が多い。
【０００３】
しかし、生体組織は全て血液供給を受けて生存するため、どのような組織であれ、組織剥離を行うと出血が発生することになる。そうすると、出血の発生した部位を止血するために、既に出血したまたは出血中の血液を、手術補助者(ａｓｓｉｓｔａｎｔ)が吸込器で迅速に除去して出血部位を確認した後、手術者が止血を行わなければならない。止血が完了すると、手術者は希望する手術視野に進むために、さらに深い組織に剥離を行うようになる。そうすると、再び出血が始まり、手術者と手術補助者は同じ作業を繰り返すようになり、組織剥離の手術視野が深くなると、出血のみならず劣悪な照明環境に接するようになる。
【０００４】
これは、手術視野が深くなると、手術室の天井に吊ってある無影灯(手術照明灯)の光が手術視野に到達しにくいためである。結果的に、組織剥離の深度が深くなるほど出血と劣悪な照明のせいで手術者は手術に困難を経験する場合が多く、迅速な止血が難しいため、手術中における患者の出血量が多くなり、手術時間が長くなり、最悪の場合には、劣悪な視野のせいで手術の目的に無関係な重要な他の臓器の損傷を誘発する恐れがある。このような結果は、患者の手術後の合併症や死亡率を増加させる原因となる。
【０００５】
本発明の属する技術分野に関わる参考先行文献は下記のようである。
【先行技術文献】
【特許文献】
【０００６】
【特許文献１】韓国登録特許第１０-０８２８１３５号
【特許文献２】韓国登録特許第１０-０５９２９４４号
【特許文献３】韓国登録実用新案第２０-０３３８０６８号
【発明の概要】
【発明が解決しようとする課題】
【０００７】
そこで、本発明は、前記問題に鑑みてなされたものであり、本発明の目的とするところは、患者の生体組織の手術時、暗くて深度の深い手術部位で発生する出血を吸い込み、照明を照らして、手術部位の視野を確保することによって、手術者が安全かつ迅速な手術を行うことが可能な、新規かつ改良された手術器具を提供することにある。
【０００８】
本発明の目的は、前記言及した目的に制限されることなく、言及しない更に他の目的は下記の記載から当業者に明確に理解されるはずである。
【課題を解決するための手段】
【０００９】
前記目的を達成するための本発明の手術器具は、先端に吸込口が少なくとも一つ形成される第１本体部と、前記第１本体部と交差して回転自在に結合される第２本体部と、手術中に患者の出血部位で発生する血液を前記吸込口を通じて吸い込むために前記第１本体部に具備される吸込部と、前記第１本体部と前記第２本体部との先端の間を照明するために前記第２本体部に具備される照明部と、を含むことができる。
【００１０】
また、前記吸込部は、前記吸込口と連結されるように前記第１本体部に内装される吸込管を含むことができる。
また、前記第１本体部の内部には、前記吸込管が挿入されて内装されるように吸込管挿入ホールが長手方向に長く形成されることが望ましい。
【００１１】
また、前記吸込口の直径は、前記吸込管挿入ホールの直径より小さく形成されることが望ましい。
また、前記吸込口は、前記第１本体部の先端の前面または内側面に形成されることが望ましい。
【００１２】
また、前記照明部は、前記第２本体部に内装され、光源で発生する光を光伝送して、前記第１本体部と前記第２本体部との先端の間を照射するようにガイドする光繊維を含むことができる。ここで、前記光源はＬＥＤであることが望ましい。
【００１３】
また、前記第２本体部の内部には、前記光繊維が挿入されて内装されるように光繊維挿入ホールが長手方向に長く形成されることが可能である。
また、前記第２本体部には、前記光繊維の先端が露出する照明口が少なくとも一つ形成され、前記照明口は、前記第２本体部の先端から後方に一定距離に離隔され、内側面に形成されることが望ましい。
【００１４】
また、前記照明口に露出する前記光繊維は、前記第１本体部の先端と前記第２本体部の先端との間の空間の中央部位を照明するように配置されることが望ましい。
また、前記照明部は、前記第１本体部の先端と前記第２本体部の先端との間の空間の中央部位を照明するように、前記第２本体部の先端から後方に一定距離に離隔され、内側面に具備される電球またはＬＥＤランプであることが望ましい。
【００１５】
また、前記第１及び第２本体部の先端は、上向きまたは下向きに折り曲げられて形成されることが望ましい。
また、前記第１及び第２本体部の後端には、指を入れて把持することができるように取っ手部が形成されてもよい。
【００１６】
なお、本発明で上下とは、回転方向に対して垂直の方向（垂直に沿った両方向）である。
また、前記第１本体部と前記第２本体部は、回転結合部によって回転自在に結合されることが可能である。ここで、前記回転結合部は、前記第１本体部の中央部位に一体に形成され、一面の端部に一対の結合突起が形成される第１回転結合部、及び前記第２本体部の中央部位に一体に形成され、前記第１回転結合部の一面と対向する面の端部に前記一対の結合突起が挿入されて、一定の回転角度の範囲内で回転自在に結合される一対の結合溝が形成される第２回転結合部、を含むことができる。
【００１７】
本発明の手術器具は、先端に吸込口が少なくとも一つ形成される第１本体部と、前記第１本体部と交差して、回転自在に結合されて先端に照明口が少なくとも一つ形成される第２本体部と、手術中に患者の出血部位で発生する血液を前記吸込口を通じて吸い込むために前記第１本体部に内装される吸込管と、前記照明口を通じて、前記第１本体部と前記第２本体部との先端の間を照明するために前記第２本体部に内装される光繊維と、前記吸込管に吸込力を提供する吸込装置と、前記光繊維に光を提供する光源と、を含むことができる。
【００１８】
その他、実施例の具体的な事項は、詳細な説明および図面に含まれている。
【発明の効果】
【００１９】
前記のような本発明の手術器具によると、手術時に暗くて出血の多い組織を剥離する時、手術部位で発生する出血を吸い込み、照明を照らして、組織剥離の深度の深い手術部位の視野を確保できるようになることによって、手術者は安全かつ迅速な手術を行うことができる。
【００２０】
また、全体的に小型の手術器具に、組織剥離、出血吸込、及び照明機能のような３つの機能を具備させて製作して、使用上便利性を提供する。
本発明の効果は、以上で言及した効果に制限されるのではなく、言及されていない更に他の効果は特許請求の範囲の記載から当業者に明確に理解されるはずである。
【図面の簡単な説明】
【００２１】
【図１】本発明の一実施例による手術器具を概略的に示した斜視図である。
【図２】図１に示した手術器具の分解斜視図である。
【図３】図１に示した第１本体部の側面図である。
【図４】図１に示した第２本体部の側面図である。
【図５】図１のＡ部分を裏面から見た拡大斜視図である。
【図６】図１のＢ部分を拡大して示した斜視図である。
【図７】図１のＢ部分の他の実施形態を示した斜視図である。
【図８】図１のＣ部分を裏面から見た拡大斜視図である。
【図９】本発明による手術器具の使用状態を説明するための例示図である。
【発明を実施するための形態】
【００２２】
本発明の利点および特徴、そしてそれらを達成する方法は、添付する図面と共に詳細に後述されている実施例を参照すると明確になるだろう。しかし本発明は、以下に開示される実施例に限定されるのではなく互いに異なる多様な形態に具現することができ、ただ本実施例は、本発明の開示が完全になるようにし、本発明の属する技術分野における通常の知識を有する者に発明の範疇を完全に知らせるために提供されるのであり、本発明は、請求項の範疇によって定義されるだけである。明細書の全体にかけて、同一の参照符号は同一の構成要素を示す。
【００２３】
以下、添付図面を参照して本発明の好適な実施形態による手術器具を詳細に説明する。なお、本発明を説明することにおいて、連関する公知機能または構成についての具体的な説明が本発明の要旨を不明瞭にすると判断される場合、その詳細な説明を省略する。
【００２４】
本発明で一貫して用いる「剥離（ｄｉｓｓｅｃｔｉｏｎ）」とは、積層された生体組織の間または異種の生体組織の間を開くことを意味する。本実施例では、積層された生体組織の間または異種の生体組織の間に挿入して組織の間を開く生体組織剥離器の形態の手術器具を例示したが、これに限定されるのではなく、剥離器以外の形態を有する多様な手術器具にも適用することができる。
【００２５】
図１は、本発明の一実施例による手術器具を概略的に示した斜視図であり、図２は、図１に示した手術器具の分解斜視図であり、図３および図４は、図１に示した第１本体部および第２本体部の側面図であり、図５は、図１のＡ部分を裏面から見た拡大斜視図であり、図６は、図１のＢ部分を拡大して示した斜視図であり、図７は、図１のＢ部分の他の実施形態を示した斜視図であり、図８は、図１のＣ部分を裏面から見た拡大斜視図である。
【００２６】
図１〜図８に示したように、本発明の一実施例による手術器具は第１本体部１１０、第２本体部１２０、吸込部２００、および照明部３００などを含むことができる。
本発明の手術器具は、全体的にはさみ形状を有する組織剥離器で構成されることが可能である。
【００２７】
第１本体部１１０は、生体組織剥離の施行時、出血したまたは出血中にある血液または異物を吸い込むために先端に吸込口１１１が少なくとも一つ形成される。例えば、本実施例で吸込口１１１は、第１本体部１１０の先端の前面に１個１１１ａ、そして内側面に２〜３個(１１１ｂ、１１１ｃ、１１１ｄ)ぐらい形成される構成を例示したが、これに限定されることなく多様な個数と形状を有することができる。吸込口１１１は、後述する吸込管挿入ホール１１０ａと連通するように形成されて後述する吸込管２１０の先端と連結される。
【００２８】
第１本体部１１０の内部には、後述する吸込管２１０が挿入されて内装されるように吸込管挿入ホール１１０ａが長手方向に長く形成される。本実施例では、吸込管挿入ホール１１０ａが第１本体部１１０の長手方向に全体形成される構成を例示した。しかし、第１本体部１１０の先端から後述する第１回転結合部１１５までは、吸込管２１０が挿入されて完全に内装されるように、第１本体部１１０の内部中心を貫く吸込管挿入ホール１１０ａを形成し、第１回転結合部１１５から第１本体部１１０の後端までは、吸込管２１０の外周の外側部分が固定されるように、第１本体部１１０の一側面に半球形の溝形態を有する吸込管固定溝（図示せず）を形成することもできる。また、吸込口１１１を通じて、吸込管挿入ホール１１０ａに吸い込まれた出血または異物などの詰まりを防止するために、吸込管挿入ホール１１０ａの直径を吸込口１１１の直径より大きく形成することが望ましい。また、吸込管挿入ホール１１０ａは、第１本体部１１０の前端から後方に行くほど内径が拡大するように形成することもできる。
【００２９】
第２本体部１２０は、第１本体部１１０と交差して後述する回転結合部（１１５、１２５）により回転自在に結合される。
第２本体部１２０の内部には、後述する光繊維３１０が挿入されて内装されるように光繊維挿入ホール１２０ａが長手方向に長く形成される。本実施例では、光繊維挿入ホール１２０ａが第２本体部１２０の長手方向に全体形成される構成を例示した。しかし、第２本体部１２０の後述する照明口１２１から後述する第２回転結合部１２５までは、光繊維３１０が挿入されて完全に内装されるように、第２本体部１２０の内部中心を貫く光繊維挿入ホール１２０ａを形成し、第２回転結合部１２５から第２本体部１２０の後端までは、光繊維３１０の外周の外側部分が固定されるように、第２本体部１２０の一側面に半球形の溝形態を有する光繊維固定溝（図示せず）を形成することもできる。
【００３０】
第２本体部１２０には、光繊維挿入ホール１２０ａと連通するように形成されて光繊維３１０の先端が露出する照明口１２１が少なくとも一つ形成される。ここで、照明口１２１は、光繊維３１０が第１本体部１１０の先端と第２本体部１２０の先端との間の空間の中央部位を照明しうるよう、第２本体部１２０の先端から後方に一定距離に離隔して内側面に形成されることが望ましい。
【００３１】
第１本体部１１０と第２本体部１２０との先端は、生体組織の間を容易に開けるように、上向きまたは下向きに折り曲げられて形成されることが望ましい。また、第１本体部１１０と第２本体部１２０の後端には、指をそれぞれ入れて把持できるようにリング形態の取っ手部(１１３、１２３)を形成することができる。
【００３２】
第１本体部１１０と第２本体部１２０とは、回転結合部(１１５、１２５)によって回転自在に結合される。ここで、回転結合部は、第１回転結合部１１５と第２回転結合部１２５との相互回転自在な結合で構成される。
【００３３】
第１回転結合部１１５は、第１本体部１１０のほぼ中央部位にて、第１本体部１１０と一体に円形（円板形状）に形成され、その円板部分の一面の端部に一対の結合突起(１１５ａ、１１５ｂ)が形成される。
【００３４】
第２回転結合部１２５は、第２本体部１２０のほぼ中央部位にて、第２本体部１２０と一体に円形（円板形状）に形成され、第１回転結合部１１５の一面と対向する面の端部には、一対の結合突起(１１５ａ、１１５ｂ)が挿入されて、一定の回転角度、例えば、ほぼ０〜３０°の回転角の範囲内で回転するように結合される一対の結合溝(１２５ａ、１２５ｂ)が形成される。
【００３５】
吸込部２００は、生体組織剥離などのような手術中に、患者の出血部位で発生する血液または異物などを吸込口１１１を通じて吸い込むために、第１本体部１１０に具備される。
【００３６】
吸込部２００は、先端が吸込口１１１と連結されるように第１本体部１１０に挿入されて内装されるチューブ管形態の吸込管２１０を含む。吸込管２１０は、第１本体部１１０内に長手方向に長く形成された吸込管挿入ホール１１０ａに挿入され、先端が吸込口１１１と連結され、後端が吸込管２１０に吸込力を提供する公知の吸込装置２２０と連結される。
【００３７】
照明部３００は、第１本体部１１０と第２本体部１２０との先端の間を照明するために第２本体部１２０に具備される。
照明部３００は、第２本体部１２０に挿入されて内装され、光源３２０で発生する光を光伝送して、第１本体部１１０と第２本体部１２０との先端の間を照射するようにガイドする光繊維３１０を含む。ここで、光源３２０は、光繊維３１０に光を提供しうる多様な形態の光発生装置を含むことができ、望ましくは発光ダイオード(ＬＥＤ)であってもよい。光繊維３１０は、第２本体部１２０内に形成された光繊維挿入ホール１２０ａに挿入され、先端が第２本体部１２０の照明口１２１に露出し、後端が光源３２０と連結される。  
【００３８】
照明口１２１に露出した光繊維３１０は、第１本体部１１０の先端と第２本体部１２０の先端との間の空間の中央部位を照明するように配置される。
本実施例で照明部３００は、光繊維３１０で構成されることを例示したが、これに限定されることなく、図７に示したように、照明部３００は、第１本体部１１０の先端と第２本体部１２０の先端との間の空間の中央部位を照明するように、第２本体部１２０の先端から後方に一定距離に離隔されて内側面に具備される電球またはＬＥＤランプ３１１などで構成されることが可能である。
【００３９】
以下、図９を参照して、本発明の一実施例による手術器具の作動を具体的に説明する。
図９は、本発明による手術器具の使用状態を説明するための例示図である。
図９に示したように、手術者は、手術器具の取っ手部（１１３、１２３）に指を入れて把持した状態で手術器具を身体１の内部に進入させることになるものの、手術器具の両先端を下に向かせた状態で生体組織の間に入り込みながら、組織間隔を開ける組織剥離を行って、手術者が希望する手術部位に進入するようになる。この際、組織剥離などを行う過程で生体組織の間で出血が発生するようになるが、本発明による手術器具の第１本体部１１０に内装された吸込管２１０を用いて、手術中に患者の出血部位で発生する血液および異物などを吸込口１１１を通じて吸い込んで除去することによって手術視野を確保できるようになる。
【００４０】
また、手術者が希望する手術部位へ進入するために、手術器具をさらに深く進入させて組織剥離の手術部位が更に深くなると、暗いため、手術視野を確保しにくい。この際、本発明による手術器具の第２本体部１２０に内装された光繊維３１０を用いて光源３２０で発生する光を伝送して、第１本体部１１０の先端と第２本体部１２０の先端との間の空間の中央部位を照明することによって手術視野を確保しうるようになる。
【００４１】
即ち、本発明の手術器具は、手術時、暗くて出血の多い組織を剥離する時、手術部位で発生する出血を吸い込み、照明を照らして、組織剥離の深度の深い手術部位の視野を確保しうるようになることによって、手術者は安全かつ迅速な手術を行うことができる。
【００４２】
また、全体的に小型の手術器具に、組織剥離、出血吸込、及び照明機能のような３つの機能を備えるように製作して、使用上の便利性を提供する。
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００４３】
本発明の範囲は、前記詳細な説明よりは後述する特許請求の範囲によって示され、特許請求の範囲の意味及び範囲、そしてそれの均等概念から導出されるすべての変更または変形された形態が本発明の範囲に含まれることに理解すべきである。
【符号の説明】
【００４４】
１１０    第１本体部
１１１    吸込口
１１３、１２３    取っ手部
１１５    第１回転結合部
１２０    第２本体部
１２１    照明口
１２５    第２回転結合部
２００    吸込部
２１０    吸込管
２２０    吸込装置
３００    照明部
３１０    光繊維
３２０    光源
【図１】
2010253237.tif 000003
【図２】
2010253237.tif 000004
【図３】
2010253237.tif 000005
【図４】
2010253237.tif 000006
【図５】
2010253237.tif 000007
【図６】
2010253237.tif 000008
【図７】
2010253237.tif 000009
【図８】
2010253237.tif 000010
【図９】
2010253237.tif 000011